(57)【要約】【課題】限られた仕上げ高さの中でも収まり、剛性や重量を高め、遮音性能を向上させ、更に増加する重量に関しては床構造体に対する負担を軽減可能な遮音乾式二重床及びその施工方法を提供する。【解決手段】この遮音乾式二重床は、下地板５と、下地板を床構造体Ｓから離間して直接支持するように配置され防振部２を有する複数の支持脚１と、下地板の下部で支持脚とその隣の支持脚との間に設けられた根太１２と、を備え、根太１２と下地板５とを一体化させることで下地板の剛性を高めた。【選択図】図２
2011214385.tif 000002
【特許請求の範囲】
【請求項１】
床板部と、
前記床板部を床構造体から離間して直接支持するように配置され防振部を有する複数の支持脚と、
前記床板部の下部で前記支持脚とその隣の支持脚との間に設けられた横部材と、を備え、
前記横部材と前記床板部とを一体化させることで前記床板部の剛性を高めたことを特徴とする遮音乾式二重床。
【請求項２】
前記床板部のレベル調整のために前記支持脚がレベル調整機能を有することを特徴とする請求項１に記載の遮音乾式二重床。
【請求項３】
前記横部材を前記床構造体の端部側に配置された横部材支持材によって支持することを特徴とする請求項１または２に記載の遮音乾式二重床。
【請求項４】
前記横部材が内部に空洞を有し一辺の少なくとも一部が開口した鋼材から構成され、前記鋼材の空洞内に入れた接続片を用いて前記鋼材を前記床板部と一体化することを特徴とする請求項１乃至３のいずれか１項に記載の遮音乾式二重床。
【請求項５】
レベル調整機能を有する床板部支持材を前記横部材に載せることによって前記横部材の自重を前記床構造体の端部側に配置された前記横部材支持材で支持することを特徴とする請求項３に記載の遮音乾式二重床。
【請求項６】
前記横部材は、横部材重量を増すための重し手段を有することを特徴とする請求項１乃至５のいずれか１項に記載の遮音乾式二重床。
【請求項７】
端部が横部材支持材で支持された横部材を床構造体の上に配置する工程と、
レベル調整機能を有する支持脚を前記床構造体に設置するとともに前記支持脚により前記床構造体から離間して床板部を設置する工程と、
前記支持脚のレベル調整機能により前記床板部のレベルを調整する工程と、
レベル調整機能を有する床板部支持材の長さを調整し前記床板部支持材を前記横部材に載せる工程と、
床仕上げ材を前記床板部の上に設置する工程と、を含むことを特徴とする遮音乾式二重床の施工方法。
【請求項８】
床板部と、
前記床板部を床構造体から離間して直接支持するように配置され防振部を有する複数の支持脚と、
前記床板部の下部で前記支持脚とその隣の支持脚との間に設けられた横部材と、を備え、
前記横部材を両端で支持し、前記横部材と前記床板部との間に静的荷重を伝達しにくくかつ振動を伝達しやすい振動伝達材を配置したことを特徴とする遮音乾式二重床。
【請求項９】
前記床板部の下面から突き出るように設けられた接続部を備え、
前記接続部と前記横部材との間に前記振動伝達材が位置することを特徴とする請求項８に記載の遮音乾式二重床。
【発明の詳細な説明】
【技術分野】
【０００１】
本発明は、高遮音性能を有する乾式二重床及びその施工方法に関する。
【背景技術】
【０００２】
従来の遮音性能を有する乾式二重床とは、図２１に示すように、防振ゴム２と支持ボルト３と正方形の受け材４とで構成された支持脚１を複数個、一定ピッチで床構造体Ｓの上に配置し、支持脚１の上に下地板５を設け、下地板５の上に床仕上材６を設置するものである。図２１の乾式二重床（置床）を施工する工法は、一般的に広く使用されており、床上の振動を支持脚１の防振ゴム２で吸収することにより遮音性能を得ることができる。なお、支持ボルト３を上部のネジで回すことによって、支持脚１のレベルを容易に調整することが可能で、施工性もよく、図２１の乾式二重床の工法は広く一般的に使用されている。
【０００３】
図２２の乾式二重床は、図２１の構造よりも高遮音仕様としたもので、下地板５の上に密度の高い制振シート７を敷くことで、床構造体Ｓ上の置床部の重量を増し、置床部がゆっくり振動するようになるので、床構造体Ｓに振動が伝わりにくくなる。しかし、制振シート７の重量分、床の固定荷重が増加するため、改修工事で用いる場合には、床構造体の負担荷重が増加してしまう。
【０００４】
従来の標準的な根太組工法は、図２３のように、床構造体Ｓの上に根太８を置き、根太８の上に下地板５及び床仕上材６を載せる工法である。図２３の根太組工法は、床材のレベル調整が難しく、防振ゴムがないため、床の振動が根太材から直接床構造体に伝わり、一般に置床工法よりも遮音性能が低いとされる。
【０００５】
従来の高遮音仕様の根太組工法は、図２４のように、図２３の標準的な根太組工法の根太８の下に防振支持材９を設置する工法であり、根太材の剛性が高いため、床上の衝撃を分散させることができ、遮音性能を高めることが可能である。ただし、遮音性能向上が期待できる程度の剛性をもつためには、根太材の成をある程度確保する必要がある。更に、根太８だけではなく、防振支持材９の高さも加えた分だけのスペースが、下地板５の下部に必要となるため、仕上げ高さＨが高くなる。
【０００６】
また、図２４の工法に、図２２と同様に制振シートを併用するなどによって、重量を増した場合には、制振シートの重量分、床の固定荷重が増加するため、改修工事で用いる場合には、床構造体の負担荷重が増加する。
【０００７】
図２４と基本的に同様な工法であるが、従来の高遮音仕様の別の根太組工法として図２５のように防振支持材９を根太８の両端部だけに配置した工法がある。床上の振動は、ゆれにくい床構造体Ｓの端部に伝わるので、更に遮音性能を向上させている。しかし、根太自重、根太に載せられた下地板５や床仕上材６等の積載荷重の全てを根太８が負担しなければならないので、許容される変形量の範囲内におさめるためには、根太８の成が非常に大きくなる。
【０００８】
特許文献１は、スラブの上方に複数本の大引を平行に配置し、その両端部を防振材を介して梁に支持し、大引の上には、これと直交する方向に多数の根太を平行に配列して固定し、根太上には床板を取り付け、スラブと床板との間には空気層を形成し、スラブの上にはグラスウールからなる吸音材を全面に敷き詰めるようにした遮音床構造を開示する。
【０００９】
特許文献２は、建物躯体の床スラブの上に床板を大引および長尺根太からなる軸組で受け、該軸組を防振ゴムを介して防振支持して浮き床を構成した長尺根太高床式防音床において、浮き床周縁における床板と壁または柱との間に間隙を設けて、床下空気を出入り自在とした防音床を開示する。
【先行技術文献】
【特許文献】
【００１０】
【特許文献１】特開平５−２５９１８号公報
【特許文献２】特開平６−１０４９４号公報
【発明の概要】
【発明が解決しようとする課題】
【００１１】
改修が必要とされる集合住宅は、一般的に床構造体の厚みが110mm程度と薄く、仕上げ高さが100mm程度のものが多い。したがって、このような構造の建築物では、遮音性能が低いものが多く、特に仕上げ材では改善しにくいといわれている重量床衝撃音に対する対策が問題となる。
【００１２】
ところで、重量床衝撃音の遮音性能には、仕上げ材の重量や剛性等が影響を与えるが、仕上げ材の剛性をあげるためには、下地板を厚くしたり根太材の高さを大きくする必要がある。しかし、改修後の仕上げ高さが、既存の床の仕上げ高さよりも高くなると、開口部の扉と干渉したり、改修しなければならない範囲が増え、工事期間や工事費用への影響が大きくなるために、限られた仕上げ高さの範囲で所定の剛性を確保するのは難しい。
【００１３】
また、重量の増加についても、改修前の固定荷重よりも荷重が増加した場合には、床構造体の負担が大きくなり、構造的に問題が生じる可能性がある。
【００１４】
特許文献１，２の遮音・防音床は、大引と根太とを用いるため仕上げ高さが高くなり、集合住宅等の改修には不向きである。
【００１５】
本発明は、上述のような従来技術の問題に鑑み、限られた仕上げ高さの中でも収まり、剛性や重量を高め、遮音性能を向上させ、更に増加する重量に関しては床構造体に対する負担を軽減可能な遮音乾式二重床及びその施工方法を提供することを目的とする。
【課題を解決するための手段】
【００１６】
上記目的を達成するための遮音乾式二重床は、床板部と、前記床板部を床構造体から離間して直接支持するように配置され防振部を有する複数の支持脚と、前記床板部の下部で前記支持脚とその隣の支持脚との間に設けられた横部材と、を備え、前記横部材と前記床板部とを一体化させることで前記床板部の剛性を高めたことを特徴とする。
【００１７】
この遮音乾式二重床によれば、横部材と床板部とを一体化させて床板部の剛性を高めたことにより、遮音性能の向上及び積載荷重による変形性能の向上を達成できる。床板部を支持する支持脚と横部材とを別々に配置することで、高さ方向に高くならないので、限られた仕上げ高さの中でも収まることができる遮音乾式二重床を実現できる。
【００１８】
上記遮音乾式二重床において前記床板部のレベル調整のために前記支持脚がレベル調整機能を有することが好ましい。
【００１９】
また、前記横部材を前記床構造体の端部側に配置された横部材支持材によって支持することが好ましい。横部材に伝わった振動は、床構造体の端部に近い位置に配置された横部材支持材から、ゆれにくい床構造体の端部に伝わるので、更に遮音性能を向上させることができる。
【００２０】
また、前記横部材が内部に空洞を有し一辺の少なくとも一部が開口した鋼材から構成され、前記鋼材の空洞内に入れた接続片を用いて前記鋼材を前記床板部と一体化することが好ましい。
【００２１】
また、レベル調整機能を有する床板部支持材を前記横部材に載せることによって前記横部材の自重を前記床構造体の端部側に配置された前記横部材支持材で支持することが好ましい。横部材によって床板部の重量を増加させても、横部材の重量は、床構造体の中央ではなく、床構造体の端部側に流れ、床構造体に発生する曲げモーメントを小さくし、床構造体の構造的な負担を軽減することができる。
【００２２】
また、前記横部材は、横部材重量を増すための重し手段を有することが好ましい。横部材重量を増すことで、床板部の重量をさらに増加させることができる。
【００２３】
上記目的を達成するための遮音乾式二重床の施工方法は、端部が横部材支持材で支持された横部材を床構造体の上に配置する工程と、レベル調整機能を有する支持脚を前記床構造体に設置するとともに前記支持脚により前記床構造体から離間して床板部を設置する工程と、前記支持脚のレベル調整機能により前記床板部のレベルを調整する工程と、レベル調整機能を有する床板部支持材の長さを調整し前記床板部支持材を前記横部材に載せる工程と、床仕上げ材を前記床板部の上に設置する工程と、を含むことを特徴とする。
【００２４】
この遮音乾式二重床の施工方法によれば、上述のような、床板部と、前記床板部を床構造体から離間して直接支持するように配置され防振部を有する複数の支持脚と、前記床板部の下部で前記支持脚とその隣の支持脚との間に設けられた横部材と、を備え、前記横部材と前記床板部とを一体化させることで前記床板部の剛性を高めた遮音乾式二重床において、前記横部材の自重を前記床構造体の端部側に配置された横部材支持材によって支持する遮音乾式二重床を施工することができる。これにより、遮音性能の向上及び積載荷重による変形性能の向上を達成した遮音乾式二重床を提供できる。
【００２５】
上記目的を達成するためのもう一つの遮音乾式二重床は、床板部と、前記床板部を床構造体から離間して直接支持するように配置され防振部を有する複数の支持脚と、前記床板部の下部で前記支持脚とその隣の支持脚との間に設けられた横部材と、を備え、前記横部材を両端で支持し、前記横部材と前記床板部との間に静的荷重を伝達しにくくかつ振動を伝達しやすい振動伝達材を配置したことを特徴とする。
【００２６】
この遮音乾式二重床によれば、横部材と床板部との間に静的荷重を伝達しにくくかつ振動を伝達しやすい振動伝達材を配置したことにより、横部材の重量が床板部を通して支持脚に伝わりにくくなり、横部材の両端を通して床構造体の端部側に流れ、床構造体に発生する曲げモーメントを小さくし、床構造体の構造的な負担を軽減することができるとともに、振動は振動伝達材により床板部から横部材に伝わるので、横部材が床板部と一体になって振動し、重量床衝撃音に対する遮音性能が向上する。また、床板部を支持する支持脚と横部材とを別々に配置することで、高さ方向に高くならないので、限られた仕上げ高さの中でも収まることができる遮音乾式二重床を実現できる。
【００２７】
上記遮音乾式二重床において前記床板部の下面から突き出るように設けられた接続部を備え、前記接続部と前記横部材との間に前記振動伝達材が位置することが好ましい。なお、上記振動伝達材として、ブチルゴム等の粘弾性体、履歴系ダンパーや摩擦ダンパー等を用いることができる。
【発明の効果】
【００２８】
本発明によれば、限られた仕上げ高さの中でも収まり、剛性や重量を高め、遮音性能を向上させ、更に増加する重量に関しては床構造体に対する負担を軽減可能な遮音乾式二重床及びその施工方法を提供することができる。
【図面の簡単な説明】
【００２９】
【図１】第１の実施形態による乾式二重床の構造を説明するための斜視図である。
【図２】図１の乾式二重床を図１の方向ＩＩからみた図である。
【図３】図１，図２の乾式二重床の平面図（ａ）、ｂ−ｂ’線方向から見た断面図（ｂ）及びｃ−ｃ’線方向から見た断面図（ｃ）である。
【図４】図１〜図３の乾式二重床に適用可能なレベル調整機能を有する防振支持脚の側面図である。
【図５】図１〜図３の下地板と根太との接続手段を説明するための図３（ｂ）の紙面垂直方向に切断してみた断面図である。
【図６】図１〜図３の乾式二重床の効果を説明するための図である。
【図７】図１〜図３の乾式二重床の効果を説明するために図２４の従来例を前面からみた図である。
【図８】第２の実施形態による乾式二重床の平面図（ａ）、ｂ−ｂ’線方向から見た断面図（ｂ）及びｃ−ｃ’線方向から見た断面図（ｃ）である。
【図９】図８の根太に設けた下地板支持材を説明するための図８（ｂ）の紙面垂直方向に切断してみた断面図である。
【図１０】図８，図９の乾式二重床の根太を重くする重し手段を説明するための図である。
【図１１】第２の実施形態による効果を説明するための図８（ｂ）と対応する断面図である。
【図１２】第２の実施形態による効果を説明するために図２２の従来例を示す断面図である。
【図１３】第３の実施形態において根太を床構造体に配置する工程を説明するための図８（ｂ）に対応する断面図である。
【図１４】第３の実施形態において支持脚と下地板とを設置する工程を説明するための図８（ｂ）に対応する断面図（ａ）及び図８（ｃ）に対応する断面図（ｂ）である。
【図１５】第３の実施形態において下地支持材を長さ調整して根太に載せる工程を説明するための図８（ｂ）に対応する断面図（ａ）及び図８（ｃ）に対応する断面図（ｂ）である。
【図１６】第２，第３の実施形態において下地板と根太とを接続し一体化するための構成例を示すための、図８（ｂ）に対応する断面図である。
【図１７】図１６の下地板と根太との接続部を説明するための図１６の紙面垂直方向に切断してみた断面図である。
【図１８】第２，第３の実施形態において下地板と根太とを接続し一体化するための別の構成例を示すための図１７と同様の断面図である。
【図１９】第２，第３の実施形態における根太端部の構成例について説明するための図８（ｂ）の紙面垂直方向に切断してみた断面図である。
【図２０】第２，第３の実施形態における根太端部の構成例について説明するための図１９と同様の断面図（ａ）及び図２０（ａ）のリップ溝形鋼材の上面図（ｂ）である。
【図２１】遮音乾式二重床の従来例を示す部分斜視図である。
【図２２】遮音乾式二重床の別の従来例を示す部分斜視図である。
【図２３】従来の標準的な根太組工法を説明するための部分斜視図である。
【図２４】従来の高遮音仕様の根太組工法を説明するための部分斜視図である。
【図２５】従来の高遮音仕様の別の根太組工法を説明するための部分斜視図である。
【図２６】第４の実施形態による乾式二重床の平面図（ａ）、ｂ−ｂ’線方向から見た断面図（ｂ）及びｃ−ｃ’線方向から見た断面図（ｃ）である。
【図２７】図２６の根太側面に設けた振動伝達材を示すために図２６（ａ）の矢印ｄからみた図である。
【図２８】第４の実施形態において床に静的荷重が加わったときの振動伝達材の作用を説明するための図２７と同様の図である。
【図２９】第４の実施形態において床に振動が加わったときの振動伝達材の作用を説明するための図２７と同様の図である。
【図３０】第４の実施形態の振動伝達材の別の例を説明するための図２７と同様の図である。
【図３１】図２６（ａ）〜（ｃ）、図２７の乾式二重床５１の施工工程（ａ）（ｂ）（ｃ）を説明するための図である。
【図３２】図３１（ｂ）のビス止め工程（ａ）（ｂ）を説明するために図３１（ｂ）を側面からみた図である。
【図３３】図３１の接続部５３の木片の配置工程の別の例を説明するための図３２と同様の図である。
【図３４】図２７の根太と振動伝達材と接続部との別の配置例（ａ）〜（ｄ）を説明するための図である。
【図３５】図３０の振動伝達材の別の例を説明するための図２７と同様の図である。
【発明を実施するための形態】
【００３０】
以下、本発明を実施するための形態について図面を用いて説明する。
【００３１】
本実施形態の高遮音仕様の乾式二重床は、建物の改修において限られた仕上げスペースであっても、下地板等の床部材の剛性を高めたり重量を大きくすることによって重量床衝撃音の遮音性能を向上させることができ、床構造体の構造耐力が低い場合にも対応可能である。
【００３２】
〈第１の実施形態〉
【００３３】
図１は第１の実施形態による乾式二重床の構造を説明するための斜視図である。図２は図１の乾式二重床を図１の方向ＩＩからみた図である。図３は図１，図２の乾式二重床の平面図（ａ）、ｂ−ｂ’線方向から見た断面図（ｂ）及びｃ−ｃ’線方向から見た断面図（ｃ）である。
【００３４】
図４は図１〜図３の乾式二重床に適用可能なレベル調整機能を有する防振支持脚の側面図である。図５は図１〜図３の下地板と根太との接続手段を説明するための図３（ｂ）の紙面垂直方向に切断してみた断面図である。図６は図１〜図３の乾式二重床の効果を説明するための図である。図７は図１〜図３の乾式二重床の効果を説明するために図２４の従来例を前面からみた図である。
【００３５】
図１，図２のように、第１の実施形態の乾式二重床１１は、下地板５と、下地板５の上に設置される床仕上材６と、下地板５を床構造体Ｓから離して直接支持するように一定ピッチで床構造体Ｓの上に配置された複数の支持脚１と、下地板５の下部で、支持脚１と隣の支持脚１との間に図１の奥行き方向に複数設けられた剛性の高い横部材である根太１２と、を備える。下地板５から床板部が構成され、または、下地板５と床仕上材６とから床板部が構成される。
【００３６】
図２のように、根太１２は床構造体Ｓの表面から離れて下地板５の下部に固定されている。このように、根太１２を下地板５に一体化させることで下地板５の剛性を高めている。
【００３７】
図２，図４のように、支持脚１は、床構造体Ｓの表面に載る防振ゴム２と支持ボルト３と正方形の受け材４とを有し、受け材４の上から支持ボルト３の上面３ａをドライバ等で回すことで、支持ボルト３の長さを調整することができ、防振ゴム２の下端から受け材４の上面までの全体高さを調整できる。これにより、支持脚１はレベル調整機能を有する防振支持脚になっている。このような支持脚１は、例えば、株式会社桐井製作所から商品名「バリアレスフロアー」として販売されている。
【００３８】
図３（ａ）（ｃ）のように、本実施形態の乾式二重床１１では、複数の支持脚１を図３（ａ）の横方向に直列に一定ピッチで床構造体Ｓ上に配置し、支持脚１の各列間に複数の根太１２を支持脚１の列と平行に配置する。各根太１２は、図３（ａ）（ｂ）のように、一定ピッチで後述の図５のネジ１５を用いて下地板５と一体化されている。
【００３９】
なお、図３（ａ）の破線で示すように外壁周囲には根太材１８が配置され、図３（ｂ）（ｃ）のように根太材１８に下地板５が載ることができるようになっている。また、支持脚１の各列の外壁近傍には根太材１８の下部に脚１９が配置されている。
【００４０】
図１，図２の下地板５と根太１２との接続手段・方法について図５を参照して説明する。図５のように、根太１２はＣ形断面を有するリップ溝形鋼材１３から構成され、リップ溝形鋼材１３内に接続のための接続片として木片１４を入れ、下地板５側からネジ１５を差し込んで回して木片１４に突き刺してねじ込むことで下地板５と根太１２とを接続して一体化する。
【００４１】
ネジ１５は、ねじの頭から下地板５の厚み程度の範囲はネジ山がないタイプのネジを用いることが好ましい。これにより、ネジ１５をドライバ等で回すことで木片１４を下地板５側に引き寄せ、リップ溝形鋼材１３のリップ部１３ａを下地板５と木片１４の間に挟み込むことができ、下地板５と根太１２とを確実に一体化させることができる。
【００４２】
なお、鋼材は木材の30倍程度のヤング率を有し、剛性を向上させるには鋼材が最も適している。ちなみに、幅(100mm)、高さ(50mm)の木材と、幅(100mm)、高さ(50mm)、厚み(3.2mm)のＣ形断面を有するリップ溝形鋼材とを比べると、リップ溝形鋼材の方が、曲げ剛性が7倍程度もある。しかし、鋼材と木材を一体化させるために、直接鋼材にビスを打ち付けるのは難しいが、上述のように、リップ溝形鋼材の内側に木片１４を入れ、ネジ１５で止めることにより根太１２を下地板５と一体化することができる。
【００４３】
図１〜図５のような乾式二重床１１において、床構造体Ｓの上の下地板５と床仕上材６等との置床部の剛性を高めることによる効果は以下のとおりである。
【００４４】
(1)遮音性能の向上
床上の衝撃を分散することができ、広い面積で力を受けることができる。そのため、ゆれやすい床構造体Ｓの中央部への衝撃があっても、ゆれにくい床構造体Ｓの端部へも振動が伝わり、床構造体Ｓの振動をやわらげることができる。また、図６に示すように、床上の衝撃Ａは、下地板５と床構造体Ｓとの間の空気バネを伝わっても伝達されるが、下地板５の剛性を高めることにより、下地板５の振動をおさえることができ、空気バネを介して伝達される振動を低減することができる。
【００４５】
(2)積載荷重による変形性能の向上
ピアノや家具などによって床に部分的に大きな力が加わった場合、部分的に大きな変形を生じることがあるが、上述のように下地板５等の剛性を高めることによって力を分散させることができるので、その変形量を小さくすることができる。また、床の剛性が低いことによる歩行感低下の改善も望むことができる。
【００４６】
下地板５等の置床部の剛性を上げるために根太を用いる場合、図７，図２４の従来例のように、標準的な根太組工法の根太８の下に防振支持材９を設置すると次の問題が生じる。すなわち、古い共同住宅では仕上げ高さＨが100mm程度のものも多いが、仕上げ高さＨを100mmとするためには、下地板５の下面から床構造体Ｓまでの高さＨ１が70mm程度以下しかなく、防振性能を有する根太支持材と剛性の高い根太とを配置することは困難である。これに対し、本実施形態では、図１，図２，図３（ａ）〜（ｃ）のように、根太１２と支持脚１とを分けて配置しているため、限られた仕上げ高さの範囲Ｈで、最大限剛性を高めることができる。また、支持脚１，１の間に１本から複数本の根太１２を配置することができるため、必要に応じて剛性の調整を行うことが容易であり、遮音性能や変形性能を向上させたい部分にだけ根太１２を配置することもできる。
【００４７】
また、図７の従来例の場合には、根太８のレベルがそのまま仕上げ高さＨに影響するため、根太８の寸法精度が悪い場合にはレベルを調整するのが困難となる。これに対し、本実施形態では、床のレベル調整をレベル調整機能を有する防振支持脚１によって行うことができるため、下地板５の設置後に容易にレベル調整を行うことができ、精度良く施工することが可能である。
【００４８】
〈第２の実施形態〉
【００４９】
図８は第２の実施形態による乾式二重床の平面図（ａ）、ｂ−ｂ’線方向から見た断面図（ｂ）及びｃ−ｃ’線方向から見た断面図（ｃ）である。図９は図８の根太に設けた下地板支持材を説明するための図８（ｂ）の紙面垂直方向に切断してみた断面図である。図１０は図８，図９の乾式二重床の根太を重くする手段を説明するための図である。図１１は本実施形態による効果を説明するための図８（ｂ）と対応する断面図である。図１２は本実施形態による効果を説明するために図２２の従来例を示す断面図である。
【００５０】
本実施形態の乾式二重床２１は、図８（ａ）（ｃ）からわかるように図１〜図３と基本的に同様の構造であるが、図８（ａ）（ｂ）のように、根太１２を床構造体Ｓの端部側に配置した根太支持材２２によって両端で支持するようにしたものである。根太支持材２２は、ゴム、木、モルタル、鋼製バネなどから構成できる。
【００５１】
また、乾式二重床２１は、図８（ａ）（ｂ）のように、根太１２に下地板支持材２３を根太１２の長手方向に一定ピッチで設けることで下地板５を支持するようになっている。
【００５２】
下地板支持材２３は根太１２と下地板５とを連結させる。また、後述の図１６〜図１８のように下地板５と根太１２とを接続し一体化させるようにしてもよい。
【００５３】
図９のように、下地板支持材２３は、支持ボルト２３ａと、台座２３ｂとを有し、根太１２を構成するリップ溝形鋼材１３の底部に台座２３ｂが載り、支持ボルト２３ａのネジが下地板５に設けたナット部５ａに螺合するようになっている。下地板支持材２３は、支持ボルト２３ａの上端２３ｃをドライバ等で回すことで支持ボルト２３ａの長さを調整することでレベル調整機能を有する。台座２３ｂは防振ゴム２から構成してもよい。
【００５４】
図８（ａ）〜（ｃ）の乾式二重床２１によれば、根太１２の自重は、床構造体Ｓの中央ではなく、床構造体Ｓの端部側に配置された根太支持材２２によって支持される。したがって、根太１２に伝わった振動は、床構造体Ｓの端部に近い位置に配置された根太支持材２２から、ゆれにくい床構造体Ｓの端部に伝わるので、更に遮音性能を向上させることができる。
【００５５】
図２５に示す従来の根太組工法では、根太自重、根太に載せられた下地板や床仕上げ材、積載荷重の全てを根太が負担しなければならないので、許容される変形量の範囲内におさめるためには、根太の成が非常に大きくなる。また、床構造体のスパンが大きくなると、根太中央がたわみ、床のレベル調整が難しい。これに対し、本実施形態では、床を組んだ後に床上に乗る積載荷重については、根太１２と支持脚１の両方で支持するため、荷重の全てを根太で受ける必要がなく、根太の成を小さくすることができる。
【００５６】
また、図１０のように、根太１２のリップ溝形鋼材１３内に重し手段として重り２５を詰めることで根太１２を重くすることが好ましい。これにより、下地板５に対し鉛直下方向ｚ（図２）へ加わる重量を増やすことで下地板５の重量をさらに増加させることができる。重り２５として溝形鋼材１３内に挿入可能な形状のコンクリートブロック小片、鉄片、砂袋等があるが、これらに限定されるものではない。
【００５７】
上述のように、下地板５の置床部の重量を増すことにより、下地板５の部分がゆっくりと振動することになり、重量床衝撃音に対する遮音性能をさらに向上させることができる。
【００５８】
また、改修工事の場合には、図２２，図２４に示すような従来の工法で仕上げ材の重量を増加させると既存の床構造体への負担が大きくなり、構造上支障をきたす。これに対し、第１及び第２の実施形態では、根太１２に比重の高い鋼材を用いたり、更に図１０のように、リップ溝形鋼材１３の中に重り２５を詰めることによって、下地板５の重量を増すことができ、遮音性能を向上させることができる。
【００５９】
この場合、根太１２を床構造体Ｓの端部に近い位置に配置された根太支持材２２によって支持し、下地板支持材２３を根太１２に載せることによって、根太１２の自重に関して床構造体Ｓの端部側に配置された根太支持材２２により支持することができる。したがって、図１１に示すように、根太１２によって増加した重量は、床構造体Ｓの端部側に流れ、床構造体Ｓに発生する曲げモーメントを小さくし、床構造体Ｓの構造的な負担を軽減することができる。なお、図２４の従来例では、下地板５の上に密度の高い制振シート７を敷くことで床構造体Ｓ上の置床部の重量を増しているが、図１２のように、重量増加により曲げモーメントが大きくなり、床構造体Ｓへの構造的な負担が大きくなる。
【００６０】
〈第３の実施形態〉
【００６１】
第３の実施形態は、図８（ａ）〜（ｃ）の乾式二重床の施工方法に関し、図１３〜図１５を参照して説明する。
【００６２】
図１３は第３の実施形態において根太を床構造体に配置する工程を説明するための図８（ｂ）に対応する断面図である。図１４は同じく支持脚と下地板とを設置する工程を説明するための図８（ｂ）に対応する断面図（ａ）及び図８（ｃ）に対応する断面図（ｂ）である。図１５は同じく下地支持材を長さ調整して根太に載せる工程を説明するための図８（ｂ）に対応する断面図（ａ）及び図８（ｃ）に対応する断面図（ｂ）である。
【００６３】
まず、図１３のように、端部が根太支持材２２で支持された鋼材からなる根太１２を床構造体Ｓの上に配置する。
【００６４】
次に、図１４（ｂ）のように、レベル調整機能を有する支持脚１と下地板５とを設置する。下地板５が支持脚１により床構造体Ｓから離れて位置する。
【００６５】
図４の支持脚１の支持ボルト３の上面３ａをドライバ等で回すことで下地板５のレベルを調整する。なお、このとき、図１４（ａ）のように、下地板５には図９の下地板支持材２３の支持ボルト２３ａがねじ込まれているが、下地板支持材２３の台座２３ｂは根太１２のリップ溝形鋼材１３の底部から離れている。
【００６６】
次に、図１５（ａ）のように、図９の下地板支持材２３の支持ボルト２３ａの上端２３ｃをドライバ等で回すことで支持ボルト２３ａの長さを調整することで、下地板支持材２３の台座２３ｂを根太１２のリップ溝形鋼材１３の底部に接触させて載せる。このとき、図１５（ｂ）のように、下地板５と支持脚１との位置関係は図１４（ｂ）と同様である。
【００６７】
次に、フローリング等の床仕上材６を下地板５の上に設置することで、図８（ｂ）（ｃ）のように仕上げる。
【００６８】
なお、図１５（ａ）で下地板支持材２３を根太１２に載せたが、根太１２に載せるだけではなく、根太１２を配置した後、自重による変形を保持したまま下地板５と根太１２とを接続し一体化することによって、根太１２の自重を床構造体Ｓの端部側に流すように構成してもよい。図１６〜図１８にその構成例を示す。
【００６９】
図１６，図１７の例は、下地板５の上からネジ２７によって、根太１２のリップ溝形鋼材１３内に配置した木片等からなるネジ受け材２６を引き寄せることで、根太１２と下地板５とを接続し一体化させるものである。
【００７０】
図１８の例は、図９のように下地板支持材２３の台座２３ｂを根太１２のリップ溝形鋼材１３の底部に接触させたとき、台座２３ｂをリップ溝形鋼材１３の底部に接着剤２８により固定し、下地板５と根太１２とを接続し一体化するものである。接着剤を予め台座２３ｂの下面やリップ溝形鋼材１３の底部に塗布しておいてもよい。
【００７１】
また、根太端部の構成例について図１９，図２０（ａ）（ｂ）を参照して説明する。
【００７２】
図１９の例は、根太端部においてレベル調整機能が不要な場合、図８（ａ）（ｂ）のようにゴムシートやコンクリートや木材などを根太支持材２２として根太１２の端部に配置するものである。
【００７３】
図２０（ａ）（ｂ）の例は、根太１２の端部においてレベル調整機能が必要な場合、下地板５にレベル調整用孔５ｂを設け、リップ溝形鋼材１３の底部に孔１３ｂを設け、図４と同様の構成の支持脚３１を用いて、正方形の受け材３４をリップ溝形鋼材１３のリップ部１３ａに接触させ、支持ボルト３３を孔１３ｂに通して防振ゴム３２を床構造体Ｓに載せるものである。下地板５からレベル調整用孔５ｂを通して、受け材３４の上から支持ボルト３３の上面３３ａをドライバ等で回すことで、支持ボルト３３の長さを調整することで、根太１２の高さレベルを調整する。
【００７４】
〈第４の実施形態〉
【００７５】
図２６は第４の実施形態による乾式二重床の平面図（ａ）、ｂ−ｂ’線方向から見た断面図（ｂ）及びｃ−ｃ’線方向から見た断面図（ｃ）である。図２７は図２６の根太側面に設けた振動伝達材を示すために図２６（ａ）の矢印ｄからみた図である。図２８は本実施形態において床に静的荷重が加わったときの振動伝達材の作用を説明するための図２７と同様の図である。図２９は本実施形態において床に振動が加わったときの振動伝達材の作用を説明するための図２７と同様の図である。
【００７６】
第４の実施形態の乾式二重床５１は、図２６（ａ）（ｃ）からわかるように図８と基本的に同様の構造であるが、図８の根太１２に設けた下地板支持材２３を省略し、図２６（ａ）（ｂ），図２７のように、根太１２の側面１２ａと下地板５の下面に突き出るように設けられた接続部５３との間に振動伝達材５２を根太１２の側面に配置したものである。以下、図８と異なる点を主に説明する。
【００７７】
振動伝達材５２は根太１２の側面に沿って所定のピッチで複数箇所に配置されている。図２６（ａ）では、振動伝達材５２は支持脚１の横方向の配置位置に対し同じ横方向位置に同じピッチで配置されている。
【００７８】
各根太１２は、床構造体Ｓの端部側に配置された根太支持材２２によって両端で支持される。根太支持材２２は、ゴム、木、モルタル、鋼製バネなどから構成できる。
【００７９】
図２６（ａ）（ｂ），図２７のように、接続部５３は、所定長さの矩方体状の木片等からなり、根太１２とその隣の根太１２との間で下地板５の下面から突き出ている。接続部５３の各側面５３ａと根太１２の側面１２ａとの間に振動伝達材５２が位置している。接続部５３の木片等は、例えば、下地板５の上面からビスを打ち込むことで固定することができる。
【００８０】
振動伝達材５２は、静的な荷重に対しては容易に変形しかつ振動を伝達する材料からなり、例えば、ブチルゴム等の粘弾性体からなる。ブチルゴム等の粘弾性体は、静的な荷重に対してはすぐに変形するが、粘性が大きく、速度に対して抵抗力を発揮するため、振動を伝達する。
【００８１】
なお、振動伝達材５２として、静的な荷重に対しては容易に変形しかつ振動を伝達する材料であれば、ブチルゴム以外を使用してもよく、例えば、樹脂系、ゴム系、アスファルト系等の粘弾性体がある。
【００８２】
また、振動伝達材５２としてブチルゴムを用いる場合、ブチルゴムは粘着力のある材料であるので、振動伝達材５２を接続部５３の側面５３ａと根太１２の側面１２ａとの間に配置する際に接着材等は不要である。粘着力のない材料の場合は適宜接着材等を用いることが好ましい。
【００８３】
また、根太１２の材料として、図８と同様に、内部に空洞を有し一辺の一部が開口した鋼材を使用できるが、必ずしも一辺の一部が開口していなくともよく、例えば、角筒状の鋼製パイプや鉄筋などを使用することができる。
【００８４】
本実施形態における振動伝達材５２の作用について図２８，図２９を参照して説明する。
【００８５】
図２８のように、床の下地板５に静的な荷重ｆが加わったとき、下地板５とともに接続部５３が下向きＦに変形しても、振動伝達材５２がクリープ変形などにより容易に変形することで、一定以上の荷重を根太１２に伝達せず、静的な荷重が伝達されにくくなる。また、逆に、根太１２の重量も下地板５に一定以上伝達されないことになる。
【００８６】
また、図２９のように、床の下地板５に振動ｖが加わったとき、下地板５とともに接続部５３が上下方向Ｂに振動すると、振動伝達材５２が力を伝達したり、エネルギーを吸収したりするため、根太１２も上下方向Ｂ’に振動する。
【００８７】
重量床衝撃音対策としては、床の重量を重くする方法が一般的にとられるが、重量を付加すると、床構造体（スラブ）の負担が増え、特に改修工事においては問題がある。これに対し、本実施形態のように、下地板５と根太１２とを静的な荷重を一定以上伝達しない振動伝達材５２によって繋ぐことで、静的な荷重については、根太１２と下地板５との間で一定以上の力が伝達されない。つまり、根太１２の重量が下地板５を通して支持脚１に伝わらないため、根太１２の重量は、根太１２を支持している端部の根太支持材２２から床構造体Ｓの端部に流れる。このため、図１１と同様に、床構造体Ｓに発生する曲げモーメントを小さくし、床構造体Ｓの構造的な負担を軽減することができる。
【００８８】
また、振動のような速い動きに対しては、この力が振動伝達材５２により下地板５から根太１２へと伝達されるので、重量のある鋼材からなる根太１２が下地板５と一体になって振動し、重量床衝撃音に対する遮音性能が向上する。
【００８９】
次に、図２７の振動伝達材５２の別の例について図３０を参照して説明する。図３０は本実施形態の振動伝達材の別の例を説明するための図２７と同様の図である。
【００９０】
図３０のように、振動伝達材５４は、静的な荷重を一定以上伝達しないが、振動を伝達する履歴系ダンパーからなる。例えば、鉛や低降伏点鋼を用いた履歴系ダンパーを使用できる。図３０の例は、履歴系ダンパーの中で鉛シートを用いたもので、振動伝達材（鉛シート）５４は、一端部５４ａが下地板５の下面に接着等により接続され、他端部５４ｂが根太１２の内面底部に接着等により接続されている。
【００９１】
鉛は、降伏点が低く、小さな荷重で塑性変形を生じ、静的な荷重に対しては、一定以上の力を伝達しないため、静的な荷重が伝達されにくく、また、振動を伝達する。
【００９２】
図３０の振動伝達材５４によれば、図２７と同様の作用効果を図２８，図２９のように得ることができ、床構造体Ｓの構造的な負担を軽減することができ、また重量床衝撃音に対する遮音性能が向上する。
【００９３】
なお、図３０では、説明の便宜上、支持脚１，１の間に根太１２が単数配置された例を示したが、図２７のように根太１２が複数本配置された場合にも図３０と同様の構成とすることができる。
【００９４】
また、図３０の履歴系ダンパーの代わりに、振動伝達材として摩擦ダンパーを配置してもよい。摩擦ダンパーは、摩擦係数により、伝達できる力が決まり、それ以上の力を伝達しないので、一定以上の静的な荷重が伝達されず、また、振動が伝達される。
【００９５】
図３５に摩擦ダンパーを下地板５の下面と根太１２との間に配置した例を示す。図３５のように、下地板５の下面から突き出るように摩擦部５９を設け、その側面５９ａに根太１２の側面１２ａが所定の面圧で接するように根太１２を配置する。摩擦部５９の側面５９ａ及び根太１２の側面１２ａの各摩擦面を適切に選ぶことで、一定以上の静的な荷重が伝達されずかつ振動が伝達されるようにできる。
【００９６】
図３５の摩擦ダンパーによれば、図２７と同様の作用効果を図２８，図２９のように得ることができ、床構造体Ｓの構造的な負担を軽減することができ、また重量床衝撃音に対する遮音性能が向上する。
【００９７】
次に、図２６（ａ）〜（ｃ）、図２７の乾式二重床５１の施工工程について図３１，図３２を参照して説明する。
【００９８】
図３１は、図２６（ａ）〜（ｃ）、図２７の乾式二重床５１の施工工程（ａ）（ｂ）（ｃ）を説明するための図である。図３２は図３１（ｂ）のビス止め工程（ａ）（ｂ）を説明するために図３１（ｂ）を側面からみた（図２６（ｂ）と同様の）図である。
【００９９】
まず、図３１（ａ）のように、両端部を根太支持材２２で支持されるように鋼材からなる根太１２，１２を設置し、根太１２の側面１２ａに、振動伝達材５２であるブチルゴムを介して接続部５３の木片を設置する。
【０１００】
次に、図３１（ｂ）のように、支持脚１及び下地板５を設置し、下地板５と接続部５３の木片とを、ビス止め位置Ｒで下向きにビスを差し込むことでビス止めする。このビス止め工程が終了したら、支持脚１によってレベル調整を行う。次に、図３１（ｃ）のように、床仕上材６を設置することで、本実施形態の乾式二重床５１が完成する。
【０１０１】
また、図３１（ｂ）のビス止め工程は、下地板５をすべて設置してから行うのではなく、図３２（ａ）のように、下地板５を部分的に設置した部分のビス止め位置Ｒで順次ビス止めすることにより、接続部５３の木片の位置がわかるので、ビス止めの施工性が向上する。また、図３２（ｂ）のように、下地板５をさらに設置しても、図３２（ａ）のビス止め位置Ｒを参考にしてビス止めを容易に行うことができるので、ビス止めの施工性が向上する。
【０１０２】
また、接続部５３の木片の配置工程に関し、木片が短い場合、図３３のように、下地板５を部分的に設置してから、接続部５３の木片を根太１２の側面に沿うようにして差し込んでもよい。
【０１０３】
次に、図２７の根太と振動伝達材と接続部との別の配置例について図３４（ａ）〜（ｄ）を参照して説明する。図３４は、図２７の根太と振動伝達材と接続部との別の配置例（ａ）〜（ｄ）を説明するための図２７と同様の図である。
【０１０４】
図３４（ａ）の配置例は、根太１２内に固定された木片等からなる根太内部材５６と、下地板５から根太１２内に突き出た接続部５３の木片との間にブチルゴム等からなる振動伝達材５２を配置したものである。
【０１０５】
図３４（ｂ）の配置例は、根太１２の内側面１２ｂと、下地板５から根太１２内に突き出た接続部５３の木片との間にブチルゴム等からなる振動伝達材５２を配置したものである。
【０１０６】
図３４（ｃ）の配置例は、図２７の配置から一方の根太１２を省略したもので、一本の根太１２の側面１２ａと下地板５から突き出た接続部５３の木片との間にブチルゴム等からなる振動伝達材５２を配置したものである。
【０１０７】
図３４（ｄ）の配置例は、支持脚１，１の間に三本の根太１２，１２，１２を配置し、中央の根太１２に図３４（ａ）と同様の構成で振動伝達材５２を配置するとともに、中央の根太１２と両脇の根太１２とを各側面で接着したものである。これにより、根太の剛性と重量とを増すことができる。
【０１０８】
なお、図３４（ｄ）において、中央の根太１２に図３４（ｂ）と同様の構成で振動伝達材５２を配置するようにしてもよい。また、両脇の根太１２のいずれか一方を省略した配置（二本の根太１２を配置）としてもよい。
【０１０９】
以上のように本発明を実施するための形態について説明したが、本発明はこれらに限定されるものではなく、本発明の技術的思想の範囲内で各種の変形が可能である。例えば、本実施形態では主に建物の改修の場合について本発明による遮音乾式二重床及びその施工方法を説明したが、これに限定されず、本発明は新築の建物にも適用できることはもちろんである。
【０１１０】
また、第１及び第２の実施形態では、横部材である根太１２にＣ形断面を有するリップ溝形鋼材１３を用いたが、これに限定されず、内部に空洞を有し一辺の少なくとも一部が開口した他の鋼材であってもよく、例えば、Ｃ形断面を有し軽量間仕切り等に使用される薄い鋼材や軽溝型鋼・溝型鋼などのような溝形断面を有する鋼材を用いてもよい。
【符号の説明】
【０１１１】
１ 支持脚、防振支持脚
２ 防振ゴム（防振部）
３ 支持ボルト
５ 下地板（床板部）
６ 床仕上材
１１ 乾式二重床
１２ 根太（横部材）
１３ リップ溝形鋼材
１３ａ リップ部
１４ 木片
２１ 乾式二重床
２２ 根太支持材
２３ 下地板支持材
５１ 乾式二重床
５２，５４ 振動伝達材
５３ 接続部
Ｓ 床構造体
Ｈ 仕上げ高さ
【図１】
2011214385.tif 000003
【図２】
2011214385.tif 000004
【図３】
2011214385.tif 000005
【図４】
2011214385.tif 000006
【図５】
2011214385.tif 000007
【図６】
2011214385.tif 000008
【図７】
2011214385.tif 000009
【図８】
2011214385.tif 000010
【図９】
2011214385.tif 000011
【図１０】
2011214385.tif 000012
【図１１】
2011214385.tif 000013
【図１２】
2011214385.tif 000014
【図１３】
2011214385.tif 000015
【図１４】
2011214385.tif 000016
【図１５】
2011214385.tif 000017
【図１６】
2011214385.tif 000018
【図１７】
2011214385.tif 000019
【図１８】
2011214385.tif 000020
【図１９】
2011214385.tif 000021
【図２０】
2011214385.tif 000022
【図２１】
2011214385.tif 000023
【図２２】
2011214385.tif 000024
【図２３】
2011214385.tif 000025
【図２４】
2011214385.tif 000026
【図２５】
2011214385.tif 000027
【図２６】
2011214385.tif 000028
【図２７】
2011214385.tif 000029
【図２８】
2011214385.tif 000030
【図２９】
2011214385.tif 000031
【図３０】
2011214385.tif 000032
【図３１】
2011214385.tif 000033
【図３２】
2011214385.tif 000034
【図３３】
2011214385.tif 000035
【図３４】
2011214385.tif 000036
【図３５】
2011214385.tif 000037